(57)【要約】      （修正有）【課題】ワンタッチ型構造を適用して内部の内容物を手軽に取り出すことができるようにする内容物の取り出しが容易な食品容器を提供する。【解決手段】細長い形状に形成され、内部に収容空間を有する外部カバー１００と、外部カバー１００の長さに対応する長さに形成され、収容空間に昇降可能に挿入され、内部に複数の内容物が積層して保管され、一端部が押圧されることによって他端部が外部カバー１００に設けられた下部開口部を通じて下降して内容物が選択的に外部に露出されるようにする内部カバー２００と、外部カバー１００の外周面に複数が積層して貼付され、複数の内容物の廃棄のために個別の除去が可能であるように構成される粘着性ラベル３００とを含む。【選択図】図１
0003213948.tif 000002
【実用新案登録請求の範囲】
【請求項１】
細長い形状に形成され、内部に収容空間を有する外部カバーと、
前記収容空間に配置され、前記収容空間の長手方向に沿って移動可能に配置され、内部に複数の内容物が積層して保管され、一端部が押圧されることによって他端部が前記外部カバーに設けられた下部開口から前記外部カバーの外部に突き出され、内容物が選択的に外部に露出される内部カバーと、
前記外部カバーの外周面に複数が連続的に貼付されて形成され、複数の内容物の廃棄のために個別に剥離が可能に構成された粘着性ラベルと、を含むことを特徴とする食品容器。
【請求項２】
前記内部カバーは、
前記収容空間に挿入され、複数の内容物を保管する本体部と、
前記本体部の側面に突設され、前記外部カバーの内部に設けられた昇降溝の内部に配置された弾性提供部と、
一端が前記弾性提供部に設けられ、他端が前記外部カバーに設けられた当接部に接触され、圧縮されると弾性復元力を発生させる弾性部材と、
前記本体部の一端部に形成され、前記外部カバーの上方に突設される突出部と、を含むことを特徴とする請求項１に記載の食品容器。
【請求項３】
前記外部カバーは、前記本体部の昇降位置をガイドするように前記本体部の直径より小さい直径を有する上側開口部を備え、
前記上側開口部には、前記突出部が前記外部カバーの外部に突出するように位置することを特徴とする、請求項１又は請求項２のいずれか１項に記載の食品容器。
【請求項４】
前記外部カバーは、前記収容空間が内部に設けられた円筒状に構成され、上部及び下部に沿いながら外周面上に形成される段差部材を含むことを特徴とする、請求項１乃至請求項３のいずれか１項に記載の食品容器。
【請求項５】
前記外部カバーは中心部を境界として上部領域及び下部領域に分割形成され、
前記上部領域及び下部領域には、外周面に沿って前記粘着性ラベルがそれぞれ貼付されることを特徴とする、請求項１乃至請求項４のいずれか１項に記載の食品容器。
【請求項６】
前記粘着性ラベルは、外部に露出される表面に内容物についての情報がプリントされたことを特徴とする請求項１乃至請求項５のいずれか１項に記載の食品容器。
【考案の詳細な説明】
【技術分野】
【０００１】
本考案は内容物の取り出しが容易な食品容器に関するもので、より詳しくはワンタッチ型構造を適用して内部の内容物を手軽に取り出すことができるようにする内容物の取り出しが容易な食品容器に関するものである。
【背景技術】
【０００２】
一般に、ガムのようなおやつ類に当たる飲食物は軽いプラスチック容器に入れて密閉状態で保管するように製造され、プラスチック容器を開封し、ガムを取り出すことができるようになっている。
【０００３】
すなわち、近年ガムの種類や形態が非常に多様になり、薄板状だけではなく多様な形状に製造されて提供されている。よって、ガムの包装においても、紙で包むものではなく特定のプラスチック容器の内部に多数のガムを内蔵して提供する形態が増えている。
【０００４】
しかし、前記のようなプラスチック容器は、カバーを開いてから取出口を通じてガムを取り出すのに際して、相対的に小さなサイズの取出口に使用者の指を入れるのに不便さが発生するだけでなく取出口を通じて複数のガムが一度に取り出されてしまうおそれがあるため、ガムを個別に取り出す際に困難が発生し得る。
【０００５】
また、プラスチック容器は、内部でガムが紙で個包装された状態で保管されるものではなく、ガムのみが保管されるから、ガムを廃棄する場合、このための別の紙を捜さなければならない面倒さが発生することになる。
【先行技術文献】
【特許文献】
【０００６】
【特許文献１】大韓民国登録実用新案第２０−０４４０６２０号公報
【考案の概要】
【考案が解決しようとする課題】
【０００７】
本考案の目的は、ボタンを押圧することによって内部のカバーが下降しながら開いて内容物が個別に取り出されるようにするワンタッチ型構造を適用することにより、ガムなどの内容物を手軽に取り出すことができるようにする内容物の取り出しが容易な食品容器を提供することにある。
【０００８】
本考案の他の目的は、外部カバーのラベルを粘着性の紙で構成して外部カバーに一体化させることにより、紙をラベルの役目だけでなく内容物の廃棄のための用途にも使えるようにする内容物の取り出しが容易な食品容器を提供することにある。
【課題を解決するための手段】
【０００９】
上記課題を解決するために、本考案は、細長い形状に形成され、内部に収容空間を有する外部カバーと、前記収容空間に配置され、前記収容空間の長手方向に沿って移動可能に配置され、内部に複数の内容物が積層して保管され、一端部が押圧されることによって他端部が前記外部カバーに設けられた下部開口から前記外部カバーの外部に突き出され、内容物が選択的に外部に露出される内部カバーと、前記外部カバーの外周面に複数が連続的に貼付されて形成され、複数の内容物の廃棄のために個別に剥離が可能に構成された粘着性ラベルと、を含むことを特徴とする食品容器である。
また、本考案は、前記内部カバーは、前記収容空間に挿入され、複数の内容物を保管する本体部と、前記本体部の側面に突設され、前記外部カバーの内部に設けられた昇降溝の内部に配置された弾性提供部と、一端が前記弾性提供部に設けられ、他端が前記外部カバーに設けられた当接部に接触され、圧縮されると弾性復元力を発生させる弾性部材と、前記本体部の一端部に形成され、前記外部カバーの上方に突設される突出部と、を含むことを特徴とする食品容器である。
本考案は、前記外部カバーは、前記本体部の昇降位置をガイドするように前記本体部の直径より小さい直径を有する上側開口部を備え、前記上側開口部には、前記突出部が前記外部カバーの外部に突出するように位置することを特徴とする食品容器である。
本考案は、前記外部カバーは、前記収容空間が内部に設けられた円筒状に構成され、上部及び下部に沿いながら外周面上に形成される段差部材を含むことを特徴とする食品容器である。
本考案は、前記外部カバーは中心部を境界として上部領域及び下部領域に分割形成され、前記上部領域及び下部領域には、外周面に沿って前記粘着性ラベルがそれぞれ貼付されることを特徴とする食品容器である。
本考案は、前記粘着性ラベルは、外部に露出される表面に内容物についての情報がプリントされたことを特徴とする食品容器である。
【考案の効果】
【００１０】
本考案は、ボタンを押圧することによって内部カバーが下降しながら開いて内容物が個別に取り出されるようにするワンタッチ型構造を適用することにより、ガムなどの内容物を手軽に取り出すことができるようにする効果を有する。
【００１１】
また、本考案は、外部カバーのラベルを粘着性の紙で形成して外部カバーに一体化することにより、紙をラベルの役目だけでなく内容物の廃棄のための用途にも使えるようにする効果を有する。
【００１２】
したがって、本考案は、内容物を容易に取り出すことができるようにするとともに内容物の廃棄のための別の紙を捜す必要がないので、使用者の便宜性を向上させることができる効果を有する。
【図面の簡単な説明】
【００１３】
【図１】本考案の実施例による内容物の取り出しが容易な食品容器を示す図である。
【図２】本考案の実施例による内容物の取り出しが容易な食品容器の動作状態を示す図である。
【図３】本考案の実施例による内容物の取り出しが容易な食品容器の構造を示す断面図である。
【図４】本考案の実施例による内容物の取り出しが容易な食品容器の動作構造を示す断面図である。
【図５】本考案の実施例による内容物の取り出しが容易な食品容器の段差部材を示す図である。
【考案を実施するための形態】
【００１４】
以下、添付図面に基づいて本考案の好適な実施例を詳細に説明する。
【００１５】
本考案の利点及び特徴、そしてそれを達成する方法は添付図面に基づいて詳細に後述する実施例を参照すれば明らかになるであろう。
【００１６】
しかし、本考案は以下に開示する実施例に限定されるものではなく、相異なる多様な形態に具現可能であろう。ただ本実施例は本考案の開示をより完全にし、本考案が属する技術分野で通常の知識を有する者に考案の範囲を完全に知らせるために提供するものであり、本考案は請求の範囲によって定義されるだけである。
【００１７】
また、本考案の説明において、関連の公知技術などが本考案の要旨をあいまいにする可能性があると判断される場合、それについての詳細な説明は省略する。
【００１８】
図１は本考案の実施例による内容物の取り出しが容易な食品容器を示す図、図２は本考案の実施例による内容物の取り出しが容易な食品容器の動作状態を示す図である。
【００１９】
図１に示したように、本実施例による内容物の取り出しが容易な食品容器は、外部カバー１００、内部カバー２００及び粘着性ラベル３００を含む。
【００２０】
まず、外部カバー１００は食品容器のケースを成すもので細長い形状に形成されており、使用者の容易な把持のための長さを有するように形成され、内部カバー２００を収容するための収容空間を内部に備える。
【００２１】
内部カバー２００は外部カバー１００の長さに対応する長さに形成され、収容空間内に配置されている。内部カバー２００は、外部カバー１００の長手方向に沿って往復移動ができるようにされている。外部カバー１００の長手方向を鉛直にして立設させたときには、内部カバー２００は収容空間内で昇降可能にされている。
【００２２】
このような内部カバー２００は、外部カバー１００の収容空間内にガムのような複数の内容物１０が積層して保管されるように構成される。
【００２３】
ここで、内部カバー２００は、使用者の押圧動作によって、図２に示したように、内部カバー２００の上方に突出した一端部（この一端部は後述する突出部２３０である。）が押し込まれることによって内部カバー２００の他端部が外部カバー１００に設けられた下部開口部１００ａから外部カバー１００の外部に突出される。
内部カバー２００の外部カバー１００の外部に突出される部分には、内容物１０を取り出すことができる取出口１２０が形成されており、突出によって内部カバー２００の下端の取出口１２０が外部カバー１００から突き出されると、取出口１２０と対面して位置する内容物１０が選択的に外部に露出される。
【００２４】
したがって、内部カバー２００が存在することで、取出口１２０から外部に露出された内容物１０を使用者が一つずつ取り出すことができ、一個の内容物１０を取り出すと、内部カバー２００の内部で自重によって取出口１２０よりも上方に位置する内容物１０は降下し、下端の内容物１０は取出口１２０と対面する位置に移動するから、内容物１０を個別に取り出すことができるようになるので、使用者の便宜性を向上させることができる。
【００２５】
言い換えれば、突出した内部カバー２００の一端部を押圧して内容物１０が取り出されるようにするワンタッチ型構造を適用することにより、内容物１０の個別の取り出しができるようにする。
【００２６】
例えば、ガムなどの内容物を収容した従来の食品容器の場合、内容物の個別の取り出しのためには、相対的に狭く形成された開口部に使用者の指を入れなければならないとともに内容物が位置する領域に使用者の指が達することができるように食品容器の角度を調節しなければならないため、内容物の取り出しに不便さが発生し得る。
【００２７】
対照的に、本実施例は、外部に突出した内部カバー２００の押圧によって内部カバー２００の内部に保管された内容物１０を個別に手軽に取り出すことができるので、前記のような使用者の不便さを効果的に排除することができる。
【００２８】
一方、粘着性ラベル３００は外部カバー１００の外周面に複数枚が積層して貼付され、内容物を取った後、内容物１０の廃棄のために個別に除去できるように備えられる。
【００２９】
粘着性ラベル３００は中心部を境界として上部領域及び下部領域に分割された外部カバー１００の外周面にそれぞれ貼付され、好ましくは内部カバー２００に保管された複数の内容物１０の数より多い枚数が積層して貼付される。
【００３０】
このような粘着性ラベル３００は一般的なガム包装紙と同種の素材から成ることが好ましく、さらに外部に露出される表面に内容物１０についての情報がプリントされることが好ましい。
【００３１】
したがって、粘着性ラベル３００は情報がプリントされたままで外部カバー１００の外周面に複数枚が除去可能に貼付されるので、ラベルの役目だけでなく内容物１０の廃棄のための用途にも使用することができる。
【００３２】
結果的に、本実施例は、前述したように、ワンタッチ型の構造の適用によって内部カバー２００に保管された内容物１０を容易に取り出すことができるようにするとともに粘着性ラベル３００が外部カバー１００に貼付されることで内容物１０の廃棄のための別の紙を捜す必要がないので、使用者の便宜性を向上させることができる。
【００３３】
以下、図３は本考案の実施例による内容物の取り出しが容易な食品容器の構造を示す断面図、図４は本考案の実施例による内容物の取り出しが容易な食品容器の動作構造を示す断面図である。
【００３４】
図２、図３に示したように、本実施例による内容物の取り出しが容易な食品容器は、外部カバー１００、内部カバー２００及び粘着性ラベル３００を含む。ここで、内部カバー２００は、本体部２１０、弾性提供部２２０及び突出部２３０を含む。内部カバー２００から突出部２３０を除いた部分の長さは外部カバー１００の長さよりも短くされている。
【００３５】
ここで、本体部２１０は外部カバー１００の収容空間に挿入され、内部に複数の内容物１０が積層して保管される。
【００３６】
このような本体部２１０は外部カバー１００の収容空間と同一の長さを有するように形成され、使用者の押圧によって収容空間の内部で往復移動できるように構成される。
【００３７】
弾性提供部２２０は本体部２１０の側面に設けられ、外部カバー１００の内部に設けられた昇降溝（Ｈ）に挿入されている。
【００３８】
弾性提供部２２０は本体部２１０の側面に一体型で形成されている。
弾性提供部２２０は突起形の形状に成形されており、本体部２１０の一端側に位置し、突起は他端側に向けて配置されている。昇降溝（H）内には弾性部材４００が配置されており、弾性部材４００の一端は弾性提供部２２０の突起に取り付けられ、他端は伸縮可能に弾性提供部２２０の突起と離間されている。
弾性部材４００は、この例では渦巻バネが用いられており、弾性提供部２２０の突起は弾性部材４００の一端側から渦巻の中に挿入され、弾性部材４００の一端側が突起に固定されている。
弾性部材４００の伸縮可能な部分の先端（ここでは下端）は、外部カバー１００の内周面に設けられた当接部２８０に接触又は接触するように離間されている。
よって、図４に示したように、使用者の押圧によって本体部２１０が外部カバー１００の内部で移動する際に弾性部材４００の一端側が押圧されて移動すると、弾性部材４００は押圧されて圧縮される。圧縮された弾性部材４００には、元の形状に戻ろうとする弾性復元力が発生し、本体部２１０に、本体部２１０が押圧された方向とは逆方向の力を印加することになる。
従って、本体部２１０が押圧によって移動する際には、昇降溝（Ｈ）の内部に設けられた弾性部材４００の押圧によって本体部２１０に弾性力が提供される。
【００３９】
また、弾性提供部２２０は、使用者が本体部２１０への押圧を中止すれば、弾性復元力によって移動して本体部２１０を初期位置に復帰させるので、内容物１０が外部に排出されることが防止される。
【００４０】
ここで、外部カバー１００は、本体部２１０の初期位置への復帰のための昇降時に昇降位置をガイドするために本体部２１０の直径より小さな直径を有する上部開口部１００ｂを備える。このような上部開口部１００ｂには後述する突出部２３０が外部に突出するように位置する。
【００４１】
すなわち、突出部２３０は本体部２１０の一端部に上部開口部１００ｂと同一の直径で形成され、本体部２１０を押圧する際には突出部２３０が押圧され、外部カバー１００の内部に押し込まれた後、弾性部材４００の弾性復元力によって本体部２１０の初期位置への復帰する時には、外部カバー１００の上部に設けられた上部開口部１００ｂに突出するように位置する。そのことにより、内容物１０の取り出し時に使用者が容易に押圧することができるようにする。
【００４２】
以下、図５は本考案の実施例による内容物の取り出しが容易な食品容器の段差部材を示す図である。
【００４３】
図５に示したように、本実施例による内容物の取り出しが容易な食品容器は外部カバー１００を含み、このような外部カバー１００は収容空間が内部に設けられた円筒状に構成される。
【００４４】
そして、外部カバー１００は上部及び下部にわたって外周面上に形成される段差部材１１０を含むことができる。
【００４５】
このような段差部材１１０は、使用者が外部カバー１００を把持するときのグリップ感の向上のために、外部カバー１００の外周面上に設けられるもので、本実施例は図５のように曲線形を例として説明したが、これは例示のためのもので、使用者のグリップ感向上のための他の形態にも形成できる。
【００４６】
また、図面に示されていないが、外部カバー１００の段差部材１１０上には所定の深さ及び大きさだけ折り曲げられた設置位置ガイド（図示せず）が形成される。このような設置位置ガイド（図示せず）は後に粘着性ラベル３００が貼付される位置をガイドすることができるだけではなく、粘着性ラベル３００を内容物１０の廃棄のために使う場合、外部カバー１００上から容易に分離できるようにする。
【００４７】
本考案は、ボタンを押圧することによって内部カバーが下降しながら開いて、内容物が個別に取り出されるようにするワンタッチ型構造を適用することにより、ガムなどの内容物を手軽に取り出すことができるようにする効果を有する。
【００４８】
また、本考案は、外部カバーのラベルを粘着性の紙で形成して外部カバーに一体化させることにより、紙がラベルの役目だけでなく内容物の廃棄のための用途にも使用することができるようにする効果を有する。
【００４９】
したがって、本考案は、内容物を容易に取り出すことができるようにするとともに内容物廃棄のための別の紙を捜す必要がないので、使用者の便宜性を向上させることができる効果を有する。
【００５０】
以上、本考案を図面に示した実施例に基づいて説明したが、これは例示的なもので、当該技術分野の通常の知識を有する者であれば、これから多様な変形が可能であり、前述した実施例の全部又は一部を選択的に組み合わせて構成することもできるという点が理解可能であろう。したがって、本考案の真正な技術的保護範囲は添付の実用新案登録請求の範囲の技術的思想によって決定されなければならないであろう。
【符号の説明】
【００５１】
１０    内容物
１００    外部カバー
１００ａ    下部開口部
１００ｂ    上部開口部
１１０    段差部材
１２０    取出口
２００    内部カバー
２１０    本体部
２２０    弾性提供部
２３０    突出部
２８０    当接部
３００    粘着性ラベル
４００    弾性部材
Ｈ    昇降溝
【図１】
0003213948.tif 000003
【図２】
0003213948.tif 000004
【図３】
0003213948.tif 000005
【図４】
0003213948.tif 000006
【図５】
0003213948.tif 000007
【手続補正書】
【提出日】平成29年10月10日(2017.10.10)
【手続補正１】
【補正対象書類名】実用新案登録請求の範囲
【補正対象項目名】請求項３
【補正方法】変更
【補正の内容】
【請求項３】
前記外部カバーは、前記本体部の昇降位置をガイドするように前記本体部の直径より小さい直径を有する上側開口部を備え、
前記上側開口部には、前記突出部が前記外部カバーの外部に突出するように位置することを特徴とする、請求項２に記載の食品容器。